(57)【要約】【課題】プレキャストコンクリートで形成された上部材を所定の位置で適切に保持することができる保持治具を提供する。【解決手段】保持治具１は、一（Ｘ１）方向に延びる腕部１２と、腕部１２の先端部に設けられ、主筋１０１に係合可能に構成された係合部１３と、腕部１２の一（Ｘ１）方向と交差する（Ｚ１）方向の両側にそれぞれ設けられ、一（Ｘ１）方向に進退可能とされた軸部４０と、軸部４０それぞれの先端部に設けられた保持部５０Ａと、各軸部４０が一（Ｘ１）方向と異なる方向へ移動することを規制する規制部２６，３０と、を備え、規制部２６，３０は、軸部４０の一（Ｘ１）方向の一方側の一方側と他方側とに設けられていることを特徴とする。【選択図】図２
2016204849.tif 000002
【特許請求の範囲】
【請求項１】
プレキャストコンクリートで形成された下柱の上面とプレキャストコンクリートで形成された上部材の下面とを間隙を有して対向させ、該間隙には主筋が配置された状態で、前記上部材を保持するための保持治具であって、
一方向に延びる腕部と、
該腕部の先端部に設けられ、前記主筋に係合可能に構成された係合部と、
前記腕部の前記一方向と交差する方向の両側にそれぞれ設けられ、前記一方向に進退可能とされた軸部と、
該軸部それぞれの先端部に設けられた保持部と、
各前記軸部が前記一方向と異なる方向へ移動することを規制する規制部と、を備え、
該規制部は、前記軸部の前記一方向の一方側と他方側とに設けられていることを特徴とする保持治具。
【請求項２】
前記保持部は、前記軸部の先端部に固定されていることを特徴とする請求項１に記載の保持治具。
【発明の詳細な説明】
【技術分野】
【０００１】
本発明は、プレキャストコンクリート柱同士を接合及びプレキャストコンクリート柱と柱梁接合部とを接合する際に用いられる保持治具に関するものである。
【背景技術】
【０００２】
従来から、工場で製造されたプレキャストコンクリート柱を用いて、建築物が構築されることが一般的に行われている。
例えば、下側のプレキャストコンクリート柱（以下、「下柱」とする。）では、主筋が充填されたコンクリート部の上面よりも突出するように設けられている。また、下柱におけるコンクリート部の上面には、上方に突出する支持部が設けられている。一方、上側のプレキャストコンクリート柱（以下、「上柱」とする。）における充填されたコンクリート部の下面には、下柱の主筋と対応する位置に、上方に向かって凹む主筋挿入穴部が形成されている。
このような下柱及び上柱において、上柱の主筋挿入穴部に下柱のコンクリート部の上面から突出する主筋を挿入する。そして、下柱のコンクリート部の上面に設けられた支持部が上柱のコンクリート部の下面を支持するように、下柱の上部に上柱を配置する。この状態で、下柱のコンクリート部の上面と上柱のコンクリート部の下面との間には、下柱の支持部の高さに相当する高さの間隙が形成されている。この間隙からグラウト材を注入し、主筋挿入穴部内及び間隙にグラウト材を充填する。これにより、上柱と下柱が接合される。
【０００３】
ここで、上記のようにプレキャストコンクリート柱同士を接合する際に、上柱や仕口部材等の上部材を下柱に対して適切な位置に配置するために、位置決め治具が使用されることがある。
位置決め治具として、先端に鈎部が設けられたフックと、フックに取り付けられた軸受と、軸受に形成されたネジ孔にネジ係合されたネジ軸と、ネジ軸の先端にネジ軸に対して相対的に回転自在に取り付けられた押圧パッドと、を備えた治具が提案されている（下記特許文献１参照）。
このような位置決め治具を用いて上部材を位置決めする際には、下柱と上部材との間に形成された間隙にフックを挿入し、下柱のコンクリート部の上面から突出する主筋に鈎部を係合させるとともに、押圧パッドを上部材のコンクリート部の側面に沿わせる。この状態で、ネジ軸を回動させると、ネジ軸がコンクリート部の側面側に移動するとともに、ネジ軸の先端に設けられた押圧パッドが上部材のコンクリート部の側面を押圧し、上部材が移動する。このように、上部材が所定の位置まで移動して、位置決めされる。
【先行技術文献】
【特許文献】
【０００４】
【特許文献１】特許第４２９７８０６号公報
【発明の概要】
【発明が解決しようとする課題】
【０００５】
ところで、上部材を下柱の上方の所定の位置に設置した後、両部材同士を接合するまでの間、上部材が所定の位置から移動しないように、上部材を保持することが望まれている。
【０００６】
そこで、本発明は、上記事情に鑑みてなされたものであり、プレキャストコンクリートで形成された上部材を所定の位置で適切に保持することができる保持治具を提供する。
【課題を解決するための手段】
【０００７】
上記目的を達成するために、本発明は以下の手段を採用している。
すなわち、本発明に係る保持治具は、プレキャストコンクリートで形成された下柱の上面とプレキャストコンクリートで形成された上部材の下面とを間隙を有して対向させ、該間隙には主筋が配置された状態で、前記上部材を保持するための保持治具であって、一方向に延びる腕部と、該腕部の先端部に設けられ、前記主筋に係合可能に構成された係合部と、前記腕部の前記一方向と交差する方向の両側にそれぞれ設けられ、前記一方向に進退可能とされた軸部と、該軸部それぞれの先端部に設けられた保持部と、各前記軸部が前記一方向と異なる方向へ移動することを規制する規制部と、を備え、該規制部は、前記軸部の前記一方向の一方側と他方側とに設けられていることを特徴とする。
【０００８】
このように構成された保持治具では、腕部の先端部に設けられた係合部を主筋に係合させ、軸部を一方向に進出される。そして、一方向と交差する方向（以下、「交差方向」とする。）の一方側に設けられた軸部の先端部の保持部を下柱に当接させるとともに、交差方向の他方側に設けられた軸部の先端部の保持部を上部材に当接させる。一方向と異なる方向への軸部の移動を規制する規制部が、各軸部の一方向の一方側と他方側とに設けられている。よって、例えば上部材や保持治具に一方向と異なる方向への力が作用した場合でも、軸部は一方向の一方側と他方側とで一方向と異なる方向への移動が規制されているため、軸部の先端部に設けられた保持部が上部材の側面及び下柱の側面から離れて、保持治具が外れてしまうことが抑制される。したがって、上部材を所定の位置で適切に保持することができる。
【０００９】
また、本発明に係る保持治具は、前記当接部及び前記ガイド部は、それぞれ前記軸部の先端部に固定されていることが好ましい。
【００１０】
このように構成された保持治具では、簡易な構成とすることができる。
【発明の効果】
【００１１】
本発明に係る保持治具によれば、プレキャストコンクリートで形成された上部材を所定の位置で適切に保持することができる。
【図面の簡単な説明】
【００１２】
【図１】本発明の一実施形態に係る保持治具を示す正面図である。
【図２】図１のＡ−Ａ矢視図である。
【図３】本発明の一実施形態に係る保持治具を示す側面図である。
【図４】本発明の一実施形態に係る保持治具を示す斜視図である。
【図５】本発明の一実施形態に係る保持治具の使用対象となる柱の構築前の状態を示す斜視図である。
【図６】図５の後工程を示し、下柱の上方に上部材を設置する工程を示す斜視図である。
【図７】図６の後工程を示し、上部材を設置した後、上柱を所定の位置に保持する工程を示す斜視図である。
【発明を実施するための形態】
【００１３】
本発明の一実施形態に係る保持治具について説明する。
本実施形態に係る保持治具は、プレキャストコンクリートで形成された上柱を位置決めをするために使用するものである。
【００１４】
図１は、本発明の一実施形態に係る保持治具を示す正面図である。図２は、図１のＡ−Ａ矢視図である。図３は、本発明の一実施形態に係る保持治具を示す側面図である。図４は、本発明の一実施形態に係る保持治具を示す斜視図である。なお、図１において、保持治具の下部を一部断面で示している。
図１〜図４に示すように、保持治具１は、プレキャスト柱の主筋に係合可能に構成されたベースプレート１０と、ベースプレート１０に設けられた一対のアタッチメント２０，２０及びガイドプレート（規制部）３０と、各アタッチメント２０に形成された雌ネジ２６Ｈに螺合されるネジ（軸部）４０と、を有している。
ここで、便宜上、ネジ４０の延在方向をＸ１方向（一方向）と称し、ネジ４０に設けられたナット４１側を基端側と称し、ナット４１と反対側を先端側と称する。また、Ｘ１方向と直交しベースプレート１０の幅方向となる方向をＹ１方向と称し、Ｘ１方向及びＹ１方向と直交する方向をＺ１方向と称する。
【００１５】
ベースプレート１０は、板状に形成され、Ｘ１Ｙ１平面に沿って配置されている。ベースプレート１０は、平面視（Ｘ１Ｙ１平面視）略矩形状に形成された基端プレート部１１と、基端プレート部１１からＸ１方向に延びる延在プレート部（腕部）１２と、延在プレート部１２の先端部に設けられたフックプレート部（係合部）１３と、を有している。本実施形態では、基端プレート部１１、延在プレート部１２及びフックプレート部１３は、一体に構成されている。
【００１６】
フックプレート部１３は、平面視Ｃ字状に形成されている。フックプレート部１３には、幅方向に向かって凹む係合凹部１３Ａが形成されている。
【００１７】
各アタッチメント２０は、平面視Ｌ字状に形成されたＬアングル２１と、Ｌアングル２１に設けられたナット（規制部）２６と、を有している。本実施形態では、Ｌアングル２１とナット２６とは、溶接等により固定されている。
【００１８】
Ｌアングル２１は、ベースプレート１０の基端プレート部１１に溶接等により固定されている。Ｌアングル２１は、Ｙ１Ｚ１平面に沿って配置された第一アングル部２２と、第一アングル部２２のＹ１側の端部から直角に折り曲げられＸ１Ｚ１平面に沿って配置された第二アングル部２３と、を有している。
【００１９】
第一アングル部２２には、貫通孔２２Ｈが形成されている。また、ナット２６には、雌ネジ２６Ｈが形成されている。雌ネジ２６Ｈには、複数の雌ネジ溝２６Ｍが形成されている。
【００２０】
各ガイドプレート３０は、アタッチメント２０の第二アングル部２３のＸ１側の端部に設けられている。ガイドプレート３０は、板状に形成され、Ｙ１Ｚ１平面に沿って配置されている。このように、ガイドプレート３０と、Ｌアングル２１の第一アングル部２２とは、Ｘ１方向に離間して平行配置されている。ガイドプレート３０は、ベースプレート１０及びアタッチメント２０の少なくとも一方に溶接等により固定されている。
【００２１】
ガイドプレート３０は、側面視（Ｙ１Ｚ１平面視）矩形状に形成されている。ガイドプレート３０には、貫通孔３０Ｈが形成されている。
【００２２】
各ネジ４０には、複数のネジ山４０Ｍが形成されている。ネジ４０の端部には、ナット４１が設けられている。後述するように、ナット４１に工具を取り付け、ネジ４０を進退させることができる。本実施形態では、ナット４１はネジ４０の端部に溶接で固定されている。
【００２３】
ネジ４０は、Ｌアングル２１の貫通孔２２Ｈに挿通されるとともに、ナット２６の雌ネジ２６Ｈに螺合され、ガイドプレート３０の貫通孔３０Ｈに挿通されている。このようにして、ネジ４０は、Ｘ１方向に進退可能に配置されている。本実施形態では、ネジ４０の複数のネジ山４０Ｍがナット２６の複数の雌ネジ溝２６Ｍに螺合されている。このように、ネジ４０はアタッチメント２０を介してベースプレート１０に連結されている。
なお、ガイドプレート３０の貫通孔３０Ｈの径はネジ４０の径よりもわずかに大きいため、貫通孔３０Ｈの内面とネジ４０の外面との間にはわずかな間隙が形成されている。
【００２４】
ネジ４０のナット４１にインパクトレンチ等の工具（不図示）を取り付け、ネジ４０を回転させると、ネジ４０は雌ネジ２６Ｈに周方向に締め付けられつつ進退する。このため、ネジ４０は、Ｘ１方向を軸線方向として周方向への移動が規制されつつ、Ｘ１方向に進退可能である。
【００２５】
一対のネジ４０のうち、一方のネジ４０の先端部には、保持プレート（保持部）５０Ａが設けられている。また、他方のネジ４０の先端部には、保持プレート（保持部）５０Ｂが設けられている。
【００２６】
保持プレート５０Ａ及び保持プレート５０Ｂは、板状に形成され、Ｙ１Ｚ１平面に沿って配置されている。保持プレート５０Ａ及び保持プレート５０Ｂは、側面視円形状に形成され、ネジ４０に溶接等により固定されている。
【００２７】
図５は、上記に示す保持治具１の使用対象となる柱の構築前の状態を示す斜視図である。図６は、図５の後工程を示し、下柱の上方に上部材を設置する工程を示す斜視図である。図７は、図６の後工程を示し、上部材を設置した後、上柱を所定の位置に保持する工程を示す斜視図である。
次に、下柱１００の上方に上柱（上部材）２００を設置し、接合する手順について、主に図５から図７を参照して説明する。
図５に示すように、本実施形態では、下柱１００、上柱２００は、それぞれ予め工場等で製造されたプレキャストコンクリート部材であって、建築現場に搬入されて互いに接合される。
ここで、下柱１００の延在方向をＺ２方向と称する。また、Ｚ２方向と直交し、下柱１００の側面１００Ｘに沿う方向をＸ２方向と称し、Ｘ２方向及びＺ２方向と直交する方向をＹ２方向と称する。
【００２８】
下柱１００は、Ｚ２方向に延びる複数の主筋１０１…と、複数の主筋１０１…の外側を覆うように配置された帯筋（不図示）と、複数の主筋１０１…及び帯筋を覆うコンクリート部１０２と、を有している。各主筋１０１は、コンクリート部１０２の上面１００Ｔよりも上方に突出している。
【００２９】
下柱１００の上面１００Ｔには、上方に向かって突出する上柱支持部１１１が複数設けられている。この上柱支持部１１１は、例えば、平面視において、主筋１０１よりも内方に設けられている。
【００３０】
上柱２００は、Ｚ２方向に延びる複数の主筋（不図示）と、複数の主筋の外側を覆うように配置された帯筋（不図示）と、複数の主筋及び帯筋を覆うコンクリート部２０２と、を有している。
【００３１】
上柱２００の下面２００Ｂには、上方に向かって凹む主筋挿入穴部２１１が複数形成されている。この主筋挿入穴部２１１は、下柱１００の主筋１０１と対応する位置に形成されている。
【００３２】
上記の上柱２００をクレーン（不図示）等で吊り上げて、下柱１００の上部に設置する。詳細には、下柱１００の主筋１０１の上部が、上柱２００の対応する主筋挿入穴部２１１に挿入されるように、下柱１００の上部に上柱２００を配置する。
【００３３】
図６に示すように、この状態で、下柱１００の上面１００Ｔと上柱２００の下面２００Ｂとの間には、下柱１００の上柱支持部１１１（図５参照）の高さに相当する高さの間隙Ｓが形成される。
【００３４】
ここで、柱２００の側面２００Ｙが所定の位置よりも手前側に配置されている箇所があれば、当該上柱２００の側面２００Ｙを奥側に押す。例えば、図６に示すように、位置決め治具９０等を用い、フック９１を主筋１０１に係合し、支持プレート９２で下柱１００の側面１００Ｙを支持し、押圧パット９３で上柱２００の側面２００ＹをＸ２方向に押圧する。この作業をＹ２方向へも行い、下柱１００の上方の所定の位置に、上柱２００を設置する。詳細には、下柱１００の側面１００Ｙと上柱２００の側面２００Ｙとが同一鉛直面上に位置するように、位置決めする。この作業を、柱２００の四方向から行うことが好ましい。
【００３５】
次に、図７に示すように、下柱１００の側面１００Ｙ及び上柱の側面２００Ｙ側から、保持治具１のベースプレート１０の先端側を間隙Ｓに挿入する。ベースプレート１０の係合凹部１３Ａを所定の主筋１０１に係合させる。上側のネジ４０のナット４１及び下側のネジ４０のナット４１を回して、ネジ４０を＋Ｘ２方向に進める。上側の保持プレート５０Ｂを上柱２００の側面２００Ｙに当てるとともに、下側の保持プレート５０Ａを下柱１００の側面１００Ｙに当てる。ベースプレート１０が水平になるように調整し、保持治具１を配置する。換言すると、ネジ４０の先端部側が＋Ｘ２方向に延び、ベースプレート１０がＸ２Ｙ２平面に沿うように、保持治具１を設置する。
次に、上柱２００のＹ２方向を向く側面側にも同様に、保持治具１を設置する。この作業を、柱２００の四方向から行うことが好ましい。
そして、上柱２００と下柱１００とを接合する作業を開始するまで、保持治具１を設置しておく。
【００３６】
上柱２００と下柱１００とを接合する際には、ネジ４０を緩めて保持治具１を取り外して、下柱１００の上面１００Ｔと上柱２００の下面２００Ｂとの間の間隙Ｓにコンクリート（不図示）を流し入れ、下柱１００と上柱２００とを接合する。
【００３７】
なお、保持治具１を、下柱１００、上柱２００の側面１００Ｙ，２００Ｙに、複数箇所設けてもよい。あるいは、保持治具１を、下柱１００、上柱２００の四側面に設けてもよい。
【００３８】
このように構成された保持治具１では、延在プレート部１２の先端部に設けられたフックプレート部１３を主筋１０１に係合させ、延在プレート部１２の下方に設けられたネジ４０を＋Ｘ２方向に進出させて先端部に設けられた保持プレート５０Ａを下柱１００の側面１００Ｙに当接させるとともに、延在プレート部１２の上方に設けられたネジ４０を＋Ｘ２方向に進出させて先端部に設けられた保持プレート５０Ｂを上柱２００の側面２００Ｙに当接させる。ネジ４０は、雌ネジ２６Ｈに周方向に締め付けられるとともに、その周方向にわずかな間隙を有して配置されたガイドプレート３０にもガイドされる。よって、例えば上柱２００や保持治具１に＋Ｘ２方向と異なる方向の力が作用した場合でも、ネジ４０は＋Ｘ２側ではガイドプレート３０によりＸ１方向を軸線方向として周方向への移動が規制され、−Ｘ２側ではネジ４０により周方向への移動が規制されている。これにより、ネジ４０の先端部に設けられた保持プレート５０Ａ，５０Ｂがそれぞれ下柱１００の側面１００Ｙ及ぶ上柱２００の側面２００Ｙから離れて、保持治具１が外れてしまうことが抑制される。したがって、上柱２００を所定の位置で適切に保持することができる。
【００３９】
また、保持プレート５０Ａ及び保持プレート５０Ｂが、それぞれネジ４０の先端部に固定されているため、簡易な構成とすることができる。
【００４０】
なお、上述した実施の形態において示した各構成部材の諸形状や組み合わせ等は一例であって、本発明の主旨から逸脱しない範囲において設計要求等に基づき種々変更可能である。
【００４１】
例えば、ベースプレート１０に水平器（不図示）を設けてもよい。これにより、保持治具１を水平方向に沿って容易に配置することができる。
【００４２】
また、上記に示す実施形態では、第一支持部を構成するナット２６とガイドプレート３０とは、互いに別々の部材であるが、本発明はこれに限られない。例えば、筒状に形成された部材（以下、筒状部材とする。）の内周面の両端部に雌ねじが形成され、この筒状部材の一端側にネジの基端側が螺合されるとともに、筒状部材の他端側にネジの先端側が挿通される構成であってもよい。
【００４３】
また、上記に示す実施形態では、下柱１００側の主筋１０１が上面１００Ｔよりも突出し、上柱２００側に主筋挿入穴部２１１が形成されているが、本発明はこれに限られない。上柱側の主筋（不図示）が下面よりも下方に突出し、下柱側に当該主筋を挿入するための主筋挿入穴部（不図示）を形成してもよい。
【００４４】
また、上記に示す実施形態では、上部材として上柱２００を例に挙げて説明したが、本発明はこれに限られない。例えば、上部材は、下柱の上端と上柱の下端との間の梁高さ部分に設けられ、梁同士を互いに連結するとともに下柱と上柱とを互いに連結する仕口部材（柱梁接合部材）であってもよい。
【符号の説明】
【００４５】
１…保持治具
１０…ベースプレート
１１…基端プレート部
１２…延在プレート部（腕部）
１３…フックプレート部（係合部）
２２…第一アングル部
２６…ナット（規制部）
３０…ガイドプレート（規制部）
４０…ネジ（軸部）
５０Ａ，５０Ｂ…保持プレート（保持部）
１００…下柱
１００Ｔ…下柱の上面
１０１…主筋
２００…上柱
２００Ｂ…上柱の下面
Ｓ…間隙
【図１】
2016204849.tif 000003
【図２】
2016204849.tif 000004
【図３】
2016204849.tif 000005
【図４】
2016204849.tif 000006
【図５】
2016204849.tif 000007
【図６】
2016204849.tif 000008
【図７】
2016204849.tif 000009